(57)【要約】【課題】  手間を掛けずに生ゴミ等の水気を切ることのできるとともに、比較的弱い力で充分に生ゴミ等の水気を切ることのできる水切り器用蓋を提供すること。【解決手段】底面１１１と、底面１１１の周縁から直立する壁面１１２と、を備え、底面１１１及び壁面１１２には水切り用の貫通孔１１３が形成されている水切り器１１０に使用される水切り器用蓋１００であって、壁面１１２の内側面に沿って、水切り器１１０の内部に収納することができるように形成されており、かつ、１０００グラム以上の重量を有することを特徴とする水切り器用蓋１００を提供する。【選択図】    図１
0003110278.tif 000002
【実用新案登録請求の範囲】
【請求項１】
底面と、前記底面の周縁側から直立する壁面と、を備え、前記底面又は前記壁面の内少なくとも何れか一方には水切り用の貫通孔が形成されている水切り器に用いられる水切り器用蓋であって、
前記壁面の内側面に沿って、前記水切り器の内部に収納することができるように形成されており、かつ、１０００グラム以上の重量を有することを特徴とする水切り器用蓋。
【請求項２】
前記重量は、１５００グラム〜２０００グラムであることを特徴とする請求項１に記載の水切り器用蓋。
【請求項３】
前記水切り器用蓋は、中空状に形成されており、
前記水切り器用蓋の内部の空間は、前記水切り器用蓋に形成されている口部を介して外部に連通するようにされており、
前記口部から前記水切り器用蓋の内部の空間に流体又は粉体を入れることにより、前記重量にすることができるようにしたことを特徴とする請求項１又は２に記載の水切り器用蓋。
【請求項４】
前記水切り器用蓋の下面は、下方に向かって凸となるように凸面に形成されていることを特徴とする請求項１乃至３の何れか一項に記載の水切り器用蓋。
【請求項５】
前記水切り器用蓋の上面には、把手が設けられていることを特徴とする請求項１乃至４の何れか一項に記載の水切り器用蓋。
【請求項６】
請求項１乃至５の何れか一項に記載の水切り器用蓋と前記水切り器との組み合わせ。
【考案の詳細な説明】
【技術分野】
【０００１】
本考案は、シンク内において生ゴミ等の水気を切るために用いられる水切り器に用いられる水切り器用蓋に関する。
【背景技術】
【０００２】
料理の際に出る野菜くずや食べ残した食料といった生ゴミ等は、シンクの中におかれている三角コーナーや排水口に設置されている水切り器の中に入れられることが従来から行われている。
【０００３】
そして、例えば、シンクの中におかれている三角コーナーの内部に入れられた生ゴミ等の水気を切るために、例えば、実開平７−８３０６号公報に記載されているような水切り用の押さえ蓋を有する三角コーナー７００がある。
【０００４】
図５に表されているように、実開平７−８３０６号公報に記載されている三角コーナー７００は、水切り用の貫通孔７０１を多数形成した底面７０２と、この底面７０２の周縁から直立する側壁７０３と、から形成される三角コーナー本体７０４の中に生ゴミ等を入れて、その上方から、この三角コーナー本体７０４内に収納することができる大きさ・形状に形成された押さえ蓋７０５により上方から押圧することで、三角コーナー本体７０４の中に収納された生ゴミ等の水気を切ることができるようにされていた。
【考案の開示】
【考案が解決しようとする課題】
【０００５】
しかしながら、従来の三角コーナー７００では、押さえ蓋７０５の上面に取り付けられている取っ手７０６を握って、この押さえ蓋７０５を三角コーナー本体７０４の内部に押し込むようにしているため、生ゴミ等の水気を切る際には、この押さえ蓋７０５を三角コーナー本体７０４の内部に押し込むという手間を掛けなければならず、また、生ゴミ等の水気を充分に切る場合には、比較的強い力でこの押さえ蓋７０５を押し込む必要があった。
【０００６】
そこで、本考案は、手間を掛けずに生ゴミ等の水気を切ることのできるとともに、比較的弱い力で充分に生ゴミ等の水気を切ることのできる水切り器用蓋を提供することを目的とする。
【課題を解決するための手段】
【０００７】
以上の課題を解決するため、本考案は、底面と、前記底面の周縁側から直立する壁面と、を備え、前記底面又は前記壁面の内少なくとも何れか一方には水切り用の貫通孔が形成されている水切り器に用いられる水切り器用蓋であって、前記壁面の内側面に沿って、前記水切り器の内部に収納することができるように形成されており、かつ、１０００グラム以上の重量を有することを特徴とする水切り器用蓋を提供する。
【０００８】
このような水切り器用蓋を提供することにより、水切り器に生ゴミを収納してから水切り器用蓋をすれば、水切り器用蓋の重量で自然に生ゴミ等の水を切ることができるようになる。
【０００９】
ここで、水切り器用蓋の重量としては、１０００グラム以上あればよいが、本考案者の実験によれば、１５００グラム以上の重量とすることで、生ゴミ等の水気を充分に切ることができ、また、２０００グラムの重量を超えると、水切り器用蓋の取扱に不便となるため、水切り器用蓋の重量としては、１５００グラム〜２０００グラムとすることが好適である。
【００１０】
なお、下記の表１に、野菜の切り屑、茶殻、食事の残り物等一般家庭の平均的な生ゴミ８９０グラム〜１，０３０グラムを入れた水切り容器に、５００グラムの水切り器用蓋、１，０００グラムの水切り器用蓋、１，５００グラムの水切り器用蓋、２，０００グラムの水切り器用蓋をそれぞれ載せて一晩（８時間）放置した際の重量の変化を測定した実験結果を表す。
【００１１】
【表１】
0003110278.tif 000003
また、水切り器としては、シンクに置かれる三角コーナーやシンクの排出口に設置される収集容器があり、これらの形状としては、横断面が三角形、円形、四角形又は楕円形等があり、これらの形状に合わせて、水切り器用蓋の形状を選択すればよい。
【００１２】
例えば、水切り器用蓋の形状としては、三角形、円形、四角形又は楕円形等がある。
【００１３】
ここで、本考案に係る水切り器用蓋については、鉄、ステンレス、銅等の金属により形成して、所望の重量とすることも可能であるが、例えば、本考案に係る水切り器用蓋を中空状に形成し、この水切り器用蓋の内部の空間は、水切り器用蓋に形成されている口部を介して外部に連通するようにしておき、この口部から水切り器用蓋の内部の空間に流体又は粉体を入れることにより、所望の重量にすることができるようにすることも可能である。
【００１４】
流体としては、水や油等があり、粉体としては、砂等がある。
【００１５】
ここで、水切り器に収納される生ゴミ等を凹圧する水切り器用蓋の下面は、下方に向かって凸となるように凸面に形成することにより、生ゴミ等の水分が側方ににげ、水切り器の壁面から排出されるようになる。
【００１６】
ここで、水切り器用蓋の上面には、把手を設けておくことにより、生ゴミ等に触れずに水切り器用蓋を水切り器に着脱することができる。
【００１７】
以上に記載した水切り器用蓋については、市販の水切り器用のものとして水切り器用蓋単独として提供することも可能であり、また、水切り器用蓋と水切り器との組み合わせとして提供することもできる。
【考案の効果】
【００１８】
以上のように、本考案によれば、水切り器用蓋自体に所定の重量があるため、水切り器に収納された生ゴミ等の上に置いておくだけで、自然に生ゴミ等の水気を切ることができるとともに、水切り器用蓋を水切り器の内側に押し込む際にも、水切り器用蓋自体に所定の重量があるため、比較的弱い力で充分に生ゴミ等の水気を切ることができるようになる。
【考案を実施するための最良の形態】
【００１９】
図１は、本考案の第一の実施形態に係る水切り器用蓋１００及び水切り器１１０の斜視図である。
【００２０】
本実施形態に係る水切り器用蓋１００は、シンクのコーナーにおかれる水切り器１１０に使用するものである。
【００２１】
本実施形態における水切り器用蓋１００を使用する水切り器１１０は、ステンレスからなり、底面１１１と、この底面１１１の周縁から直立する壁面１１２と、により構成されている。
【００２２】
底面１１１は、第一の辺１１１ａと、第二の辺１１１ｂと、第三の辺１１１ｃと、を有する三角形に形成されており、壁面１１２は、この第一の辺１１１ａから直立する第一の壁面１１２ａと、第二の辺１１１ｂから直立する第二の壁面１１２ｂと、第三の辺１１１ｃから直立する第三の壁面１１２ｃと、により形成されている。
【００２３】
ここで、底面１１１の第一の辺１１１ａと、第二の辺１１１ｂと、は垂直となるように形成されている。
【００２４】
このように、第一の辺１１１ａと第二の辺１１１ｂ及び第一の壁面１１２ａと第二の壁面１１２ｂが垂直となるようにしたのは、キッチンに設けられているシンクのコーナーの部分に合わせてこの水切り器１００を置くことができるようにするためである。
【００２５】
なお、水切り器１１０を形成する底面１１１及び壁面１１２の大きさについては、この水切り器１１０に生ゴミ等を入れることができる範囲で適時選択することができる設計事項である。
【００２６】
また、底面１１１及び壁面１１２には、水切り用の貫通孔１１３が設けられている。
【００２７】
この貫通孔１１３の大きさ・形状・数・位置についても、生ゴミ等の水を切ることができる範囲で適時選択することができる設計事項である。
【００２８】
さらに、本実施形態においては、底面１１１の外側面に、この底面１１１を接地面（シンクの底）から隔離させるための脚１１４が形成されているため、底面１１１に形成されている貫通孔１１３からも水を切ることができるようにされている。
【００２９】
本実施形態における水切り器用蓋１００は、ステンレスからなり、重量が１５００グラムとなるように形成されている。
【００３０】
また、本実施形態における水切り器用蓋１００は、水切り器１１０の形状に合わせて横断面が直角三角形となるように形成されている。
【００３１】
即ち、水切り器用蓋１００は、第一の側面１０１ａ、第二の側面１０１ｂ及び第三の側面１０１ｃを有しており、第一の側面１０１ａと第二の側面１０１ｂとは垂直となるように形成されている。
【００３２】
そして、水切り器用蓋１００は、第一の側面１０１ａが水切り器１１０の第一の壁面１１２ａの内側面に対向し、第二の側面１０１ｂが水切り器１１０の第二の壁面１１２ｂの内側面に対向し、第三の側面１０１ｃが水切り器１１０の第三の壁面１１２ｃの内側面に対向するように、水切り器用蓋１００を水切り器１１０の内部に収納した際に、側面１０１ａ、１０１ｂ、１０１ｃと、これらに対向する壁面１１２ａ、１１２ｂ、１１２ｃの内側面と、の間に適度な隙間が空くような大きさに形成されている。
【００３３】
なお、この隙間の大きさについては、水切り器１１０の壁面１１２ａ、１１２ｂ、１１２ｃの内側面に沿って、水切り器用蓋１００を上下動させることにより、水切り器１１０の内部に入れられた生ゴミ等の水を切ることができる範囲で適時選択することができる設計事項である。
【００３４】
また、本実施形態における水切り器用蓋１００の下面１０２については、平面状になるように形成されている。
【００３５】
本実施形態における水切り器用蓋１００の上面１０３には、把手１０４が設けられている。
【００３６】
把手１０４は、水切り器用蓋１００の上面１０３から上方に延びる一つの脚部１０５と、この脚部１０５の上端から、この脚部１０５に対して垂直となる方向に延びるグリップ１０６と、により形成されており、脚部１０５及びグリップ１０６の形状・大きさについては、水切り器用蓋１００の上方からグリップ１０６を握ることができる範囲で適時選択することができる設計事項である。
【００３７】
また、把手１０４を設ける位置についても、適時選択することができる設計事項であるが、この把手１０４のグリップ１０６を握って、水切り器用蓋１００を水切り器１１０の内部に押し込む際に便利なように、水切り器用蓋１００の上面１０３の中央部に設けることが望ましい。
【００３８】
以上のように構成される本実施形態に係る水切り器用蓋１００は、水切り器１１０の内部に生ゴミ等を入れて水切り器用蓋１００をするだけで、水切り器用蓋１００自体に重量（本実施形態においては、１５００グラム）があるため、自然に生ゴミ等の水気を切ることができる。
【００３９】
また、生ゴミ等を入れた水切り器１１０の内部に水切り器用蓋１００を押し込んで、生ゴミ等の水気を切る場合でも、水切り器用蓋１００自体に重量があるため、比較的弱い力で充分に水を切ることができる。
【００４０】
さらに、把手１０４によって、生ゴミ等に触れることなく、水切り器用蓋１００の着脱ができるほか、把手１０４は、グリップ１０６を有するため、このグリップ１０６を握ることにより、生ゴミ等を入れた水切り器１１０の内部に水切り器用蓋１００を押し込む際にも力が入れやすくされている。
【００４１】
本実施形態における水切り器用蓋１００は、ステンレスにより形成したが、これに限定されるわけではなく、所定の重量を保持することができる範囲でその素材を適時選択することができる。
【００４２】
また、本実施形態における把手１０４は、水切り器用蓋１００の上面１０３から上方に延びる一つの脚部１０５と、この脚部１０５の上端から、この脚部１０５に対して垂直となる方向に延びるグリップ１０６と、により形成されているが、把手１０４の形状についても、水切り器用蓋１００の上方から握ることができる範囲で適時選択することができる設計事項である。
【００４３】
図２は、本考案の第二の実施形態に係る水切り器用蓋２００及び水切り器１１０の斜視図である。
【００４４】
本実施形態に係る水切り器用蓋２００は、第一の実施形態で説明した水切り器１１０に使用するものであるため、以下、水切り器用蓋２００に関する事項について説明する。
【００４５】
本実施形態における水切り器用蓋２００は、ポリプロピレン樹脂からなり、後述するように、水切り器用蓋２００に形成されている口部２０７から水切り器用蓋２００の内部に水を入れることにより、重量が１０００グラムとなるように形成されている。
【００４６】
なお、本実施形態における水切り器用蓋２００も、第一の実施形態と同様に、水切り器１１０の形状に合わせて直角三角形に形成されている。
【００４７】
図３（図２のＸ−Ｘ線における矢示方向から見た縦断面図）に表されているように、本実施形態における水切り器用蓋２００は、中空状にされており、水切り器用蓋２００の内部に形成されている空間２０９に、水切り器用蓋２００の上面２０３に形成されている口部２０７から水を入れて、この空間２０９を埋めることにより、水切り器用蓋２００は、重量が１０００グラムになるようにされている。
【００４８】
なお、この口部２０７には、キャップ２０８を嵌合させることができるようにされており、口部２０７にキャップ２０８を嵌め込むことにより、水切り器用蓋２００の内部に入れられた水がこぼれてしまうことを防止している。
【００４９】
このように、水切り器用蓋２００の内部に水を入れることにより所定の重量とすることで、水を抜いて水切り器用蓋２００の重量を軽くすることができ、水切り器用蓋２００を持ち運ぶ際に便利である。
【００５０】
また、図３に表されているように、水切り器用蓋２００の下面２０２は、下方に向かって凸となるように、曲面状に形成されている。
【００５１】
このように、水切り器用蓋２００の下面２０２を下方に向かって凸となるように曲面状に形成することにより、水切り器１１０の内部に収納した生ゴミ等の上に載せた際に、生ゴミ等が水切り器１１０の壁面１１２に押し付けられ、これらの壁面１１２に形成されている貫通孔１１３から水が切られるようになる。
【００５２】
また、本実施形態における水切り器用蓋２００の上面２０３には、把手２０４が設けられている。
【００５３】
本実施形態における把手２０４は、水切り器用蓋２００の上面２０３から上方に延びる三つの脚部２０５Ａ、２０５Ｂ、２０５Ｃと、これらの脚部２０５Ａ、２０５Ｂ、２０５Ｃの上端において、これらの脚部２０５Ａ、２０５Ｂ、２０５Ｃを連結するグリップ２０６Ａ、２０６Ｂと、により形成されており、これらの脚部２０５Ａ、２０５Ｂ、２０５Ｃ及びグリップ２０６Ａ、２０６Ｂの形状・大きさについては、第一の実施形態と同様に、水切り器用蓋２００の上方からグリップ２０６Ａ、２０６Ｂを握ることができる範囲で適時選択することができる設計事項である。
【００５４】
このように、本実施形態においては、グリップ２０６Ａ、２０６Ｂと水切り器用蓋２００とを連結する脚部２０５Ａ、２０５Ｂ、２０５Ｃが三つ形成されているため、グリップ２０６Ａ、２０６Ｂに加えられた力がより分散されて水切り器用蓋２００に伝達されるため、水切り器１１０の内部に収納されている生ゴミ等を均等に押圧することが可能となる。
【００５５】
本実施形態における水切り器用蓋２００は、ポリプロピレン樹脂により形成したが、これに限定されるわけではなく、水切り器用蓋２００の内部を中空状に形成することができる範囲でその素材を適時選択することができる。
【００５６】
また、本実施形態における水切り器用蓋２００は、その内部に形成されている空間２０９に、水切り器用蓋２００の上面２０３に形成されている口部２０７から水を入れることにより、重量が１０００グラムになるようにされているが、内部に入れる水に限られず、油等の他の液体や砂等の粉体を入れることにより１０００グラム以上の重量となるようにすることも可能である。
【００５７】
また、本実施形態における把手２０４は、水切り器用蓋２００の上面２０３から上方に延びる三つの脚部２０５Ａ、２０５Ｂ、２０５Ｃと、これらの脚部２０５Ａ、２０５Ｂ、２０５Ｃの上端において、これらの脚部２０５Ａ、２０５Ｂ、２０５Ｃを連結するグリップ２０６Ａ、２０６Ｂと、により形成されているが、把手２０４の形状についても、水切り器用蓋２００の上方から握ることができる範囲で適時選択することができる設計事項である。
【００５８】
以上に記載した実施形態における水切り器１１０は、ステンレスにより形成されているが、これに限定されるわけではなく、その素材を適時選択することができ、例えば、鉄、銅、樹脂等により形成することができる。
【００５９】
また、以上に記載した実施形態における水切り器１１０は、キッチンに設けられているシンクのコーナーに合わせて置くことができるようにするため、横断面が直角三角形となるように形成されているが、このような形状に限定されるわけではなく、例えば、横断面が、四角形、円形又は楕円形等になるように形成することも可能である。
【００６０】
図４は、本考案の第三の実施形態に係る水切り器用蓋３００と水切り器３１０の斜視図である。
【００６１】
本実施形態に係る水切り器用蓋３００を使用する水切り器３１０は、ステンレスの線材を編み込むことにより形成されており、底面３１１と、この底面３１１の周縁から直立する壁面３１２と、壁面３１２の上端に形成されたフランジ３１５と、により構成されている。
【００６２】
本実施形態における底面３１１は、円形に形成されており、この底面３１１の周縁から直立する壁面３１２は、円柱状になるように形成されている。
【００６３】
このように、本実施形態において、底面３１１を円形とし、壁面３１２を円柱状としたのは、キッチンに設けられているシンクの排水口に形成されているゴミ取り用のスペースが円柱状に形成されている場合に合わせたものである。
【００６４】
なお、水切り器３１０を形成する底面３１１及び壁面３１２の大きさについては、このシンクの排水口に形成されているゴミ取り用のスペースに合わせて適時選択することができる設計事項であり、また、フランジ３１５の大きさについてもシンクの排水口に形成されているゴミ取り用のスペースに引っかけることができる範囲で適時選択することができる設計事項である。
【００６５】
ここで、本実施形態においては、底面３１１及び壁面３１２をステンレスの線材を編み込むことにより形成し、これらの線材の間に形成される隙間が貫通孔３１３となり、この貫通孔３１３から水が排出される。
【００６６】
この貫通孔３１３の大きさ、即ち、線材間の隙間の大きさについては、生ゴミ等の水を切るのに便利な範囲で適時選択することができる設計事項である。
【００６７】
本実施形態における水切り器用蓋３００は、ステンレスからなり、重量が１５００グラムとなるように形成されている。
【００６８】
また、本実施形態における水切り器用蓋３００は、水切り器３１０の形状に合わせて横断面が円形となるように形成されている。
【００６９】
そして、水切り器用蓋３００は、その側面３０１が水切り器３１０の壁面３１２の内側面に対向するように、水切り器用蓋３００を水切り器３１０の内部に収納した際に、側面３０１と、これらに対向する壁面３１２の内側面と、の間に適度な隙間が空くような大きさに形成されている。
【００７０】
なお、この隙間の大きさについては、水切り器３１０の壁面３１２の内側面に沿って、水切り器用蓋３００を上下動させることにより、水切り器３１０の内部に入れられた生ゴミ等の水を切ることができる範囲で適時選択することができる設計事項である。
【００７１】
また、本実施形態における水切り器用蓋３００の下面３０２については、第一の実施形態と同様に、平面状になるように形成されている。
【００７２】
本実施形態における水切り器用蓋３００の上面３０３には、把手３０４が設けられている。
【００７３】
把手３０４は、水切り器用蓋３００の上面３０３から上方に延びる一つの脚部３０５と、この脚部３０５の上端に取り付けられた円盤状のグリップ３０６と、により形成されている。
【００７４】
このグリップ３０６については、脚部３０５に対して垂直方向に広がるように形成されている。
【００７５】
そして、脚部３０５及びグリップ３０６の形状・大きさについては、水切り器用蓋３００の上方からグリップ３０６を握ることができる範囲で適時選択することができる設計事項である。
【００７６】
また、把手３０４を設ける位置についても、適時選択することができる設計事項であるが、この把手３０４のグリップ３０６を握って、水切り器用蓋３００を水切り器３１０の内部に押し込む際に便利なように、水切り器用蓋３００の上面３０３の中央部に設けることが望ましい。
【００７７】
以上のように、構成される本実施形態に係る水切り器３００は、水切り器３１０の内部に生ゴミ等を入れて水切り器用蓋３００をするだけで、水切り器用蓋３００自体に重量（本実施形態においては、１５００グラム）があるため、自然に生ゴミ等の水気を切ることができる。
【００７８】
また、生ゴミ等を入れた水切り器３１０の内部に水切り器用蓋３００を押し込んで、生ゴミ等の水気を切る場合でも、水切り器用蓋３００自体に重量があるため、比較的弱い力で充分に水を切ることができる。
【００７９】
さらに、把手３０４によって、生ゴミ等に触れることなく、水切り器用蓋３００の着脱ができるほか、把手３０４は、グリップ３０６を有するため、このグリップ３０６を握ることにより、生ゴミ等を入れた水切り器３１０の内部に水切り器用蓋３００を押し込む際にも力が入れやすくされている。
【００８０】
本実施形態における水切り器用蓋３００は、ステンレスにより形成したが、これに限定されるわけではなく、所定の重量を保持することができる範囲でその素材を適時選択することができる。
【００８１】
また、本実施形態における把手３０４は、水切り器用蓋３００の上面３０３から上方に延びる一つの脚部３０５と、この脚部３０５の上端に取り付けられた円盤状のグリップ３０６と、により形成されているが、把手３０４の形状についても、水切り器用蓋３００の上方から握ることができる範囲で適時選択することができる設計事項である。
【００８２】
なお、本実施形態における水切り器用蓋３００の下面３０２については、平面状になるように形成されているが、第二の実施形態と同様に、下方に凸となるように曲面状に形成することも可能である。
【図面の簡単な説明】
【００８３】
【図１】第一の実施形態に係る水切り器１００の斜視図。
【図２】第二の実施形態に係る水切り器２００の斜視図。
【図３】図２のＸ−Ｘ線における矢示方向から見た縦断面図。
【図４】第三の実施形態に係る水切り器３００の斜視図。
【図５】従来の三角コーナー７００の斜視図。
【符号の説明】
【００８４】
１００、２００、３００  水切り器用蓋
１０２、２０２、３０２  下面
１０３、２０３、３０３  上面
１０４、２０４、３０４  把手
１０５、２０５、３０５  脚部
１０６、２０６、３０６  グリップ
１１０、３１０  水切り器
１１１、３１１  底面
１１２、３１２  壁面
１１３、３１３  貫通孔
【図１】
0003110278.tif 000004
【図２】
0003110278.tif 000005
【図３】
0003110278.tif 000006
【図４】
0003110278.tif 000007
【図５】
0003110278.tif 000008